(57)【特許請求の範囲】
【請求項１】
一枚の布部材で構成され、折曲部において折り曲げられた状態で車両内のダッシュボード部に据置可能な車両用サンシェードであって、
前記折曲部が前記ダッシュボード部の前方側に位置するように配置され、前記ダッシュボード部を覆うことが可能な据置部と、
前記据置部と前記折曲部を介して連結されて前記据置部に重なるように配置され、前記折曲部と反対側の端辺の中央部に設けられ車両内のルームミラー部に装着可能な中央装着部と、該端辺の両端部に設けられ車両内のサンバイザー部に装着可能な端部装着部とを有する遮光部と、
を備え、
前記遮光部は、太陽光を遮光する際に前記端辺が持ち上げられて前記中央装着部が前記ルームミラー部に装着され、前記端部装着部が前記サンバイザー部に装着されて車両内のフロントガラス部を覆うように傾斜することを特徴とする車両用サンシェード。
【請求項２】
請求項１に記載の車両用サンシェードにおいて、
前記折曲部には、前記端辺と略平行に延伸する貫通孔が形成されており、
前記貫通孔に挿入される第１棒部材を備えることを特徴とする車両用サンシェード。
【請求項３】
請求項１または請求項２に記載の車両用サンシェードにおいて、
前記遮光部の内部には、前記中央部から前記折曲部に向けて延伸する第２棒部材が設けられていることを特徴とする車両用サンシェード。
【発明の詳細な説明】
【技術分野】
【０００１】
本発明は、車両用サンシェードに関する。
【背景技術】
【０００２】
従来、夏場は特に日差しがきつく、自動車を停車してエアコンをオフにした後、車内の温度が上昇する。また、ダッシュボードやハンドルはフロントガラスから入ってくる太陽光が直撃して熱くなる。このため、種々のサンシェードが開発されている。
【０００３】
本発明に関連する技術として、例えば、特許文献１には、ステアリングホイール及び自動車用運転席を覆うシェード部と、シェード部の裏面側の一方端部に設けられた座席用ヘッドレストを収容可能なヘッドレスト収納部と、シェード部の裏面側の他方端部又は前記他方端部より内側に設けられたステアリングホイール収納部と、を備え、ヘッドレスト収納部と、ステアリングホイール収納部との間隔は、装着される自動車のステアリングホイールとヘッドレストとの間隔より長い間隔に設けられていることを特徴とする自動車用サンシェードが開示されている。
【先行技術文献】
【特許文献】
【０００４】
【特許文献１】特許２０１２−１０１５７９号公報
【発明の概要】
【発明が解決しようとする課題】
【０００５】
上記特許文献１の構成では、ステアリングからヘッドレストにわたって設けられた長いシェードを蛇腹折りするような構成が開示されている。この長いシェードでは、フロントガラスから太陽光が入って車内全体や助手席などが熱くなる。また、蛇腹折りであるため収納に時間がかかり、また、設置する際にもステアリングからヘッドレストに架設するなど手間がかかる。
【０００６】
本発明の目的は、ダッシュボード部に据置したままにすることができ、かつ、必要に応じて簡単に太陽光を遮ることを可能とする車両用サンシェードを提供することである。
【課題を解決するための手段】
【０００７】
本発明に係る車両用サンシェードは、一枚の布部材で構成され、折曲部において折り曲げられた状態で車両内のダッシュボード部に据置可能な車両用サンシェードであって、前記折曲部が前記ダッシュボード部の前方側に位置するように配置され、前記ダッシュボード部を覆うことが可能な据置部と、前記据置部と前記折曲部を介して連結されて前記据置部に重なるように配置され、前記折曲部と反対側の端辺の中央部に設けられ車両内のルームミラー部に装着可能な中央装着部と、該端辺の両端部に設けられ車両内のサンバイザー部に装着可能な端部装着部とを有する遮光部と、を備え、前記遮光部は、太陽光を遮光する際に前記端辺が持ち上げられて前記中央装着部が前記ルームミラー部に装着され、前記端部装着部が前記サンバイザー部に装着されて車両内のフロントガラス部を覆うように傾斜することを特徴とする。
【０００８】
また、本発明に係る車両用サンシェードにおいて、前記折曲部には、前記端辺と略平行に延伸する貫通孔が形成されており、前記貫通孔に挿入される第１棒部材を備えることが好ましい。
【０００９】
また、本発明に係る車両用サンシェードにおいて、前記遮光部の内部には、前記中央部から前記折曲部に向けて延伸する第２棒部材が設けられていることが好ましい。
【発明の効果】
【００１０】
本発明の目的は、車両用サンシェードをダッシュボード部に据置したままにすることができ、かつ、必要に応じて簡単に太陽光を遮ることが出来る。
【図面の簡単な説明】
【００１１】
【図１】本発明に係る実施形態の車両用サンシェードの平面図である。
【図２】本発明に係る実施形態の車両用サンシェードを広げて太陽光を遮光している様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態の車両用サンシェード１０の平面図である。図２は、本発明に係る実施形態の車両用サンシェード１０を広げて太陽光を遮光している様子を示す図である。
【００１４】
車両用サンシェード１０は、自動車１のフロントガラス部１３から入る太陽光を遮断する機能を有している。フロントガラス部１３は、前景を見通せるようにした窓であり、合わせガラスで構成されている。
【００１５】
最初に、自動車１の各部について簡単に説明した後、本発明の実施形態に係る車両用サンシェード１０について説明する。
【００１６】
フロントガラス部１３は、安全面を考慮して両面のガラス層の中間にプラスチックの層を入れていて、全体をフレームに接着させている。フロントガラス部１３は、透明性を有するガラス及びプラスチックで構成されているため、太陽光が入光して、特に夏場などは車内の温度が上昇してしまう。
【００１７】
ルームミラー部１５は、後方及び後側方を視認するための鏡が装着された器具であり、フロントガラス部１３の上部の中央部付近に装着されている。フロントガラス部１３の上部の両端部付近には、サンバイザー部１９が取り付けられている。
【００１８】
サンバイザー部１９は、通常時は収納され、太陽光がまぶしいと感じたときに開いて、運転者や同乗者の目を太陽の直射から守り、視界を確保するために用いる日除け装置である。
【００１９】
サンバイザー部１９は、鉄等の金属で構成される回動軸部で回動し、収納したり、開いたりすることが出来る。この回動軸部には、フック部１７が引掛けられている。
【００２０】
ダッシュボード部３４は、前席の正面にある内装部品全体を指した名称であり、運転席正面には通常スピードメーター、タコメーター、燃料計、水温計、距離計など、自動車１の走行に必要な情報を指し示す計器類３２が配置されている。
【００２１】
運転席の正面には、ハンドル部３０が装着されている。ハンドル部３０は、進行方向を任意に変えるためのかじ取り装置である。
【００２２】
車両用サンシェード１０は、折曲部２２において二つ折りされた状態で車両内のダッシュボード部３４に据置可能な一枚の布部材である。車両用サンシェード１０は、据置部１２と、遮光部１４と、折曲部２２とを含んで構成されている。
【００２３】
車両用サンシェード１０は、例えば、帆布やデニムなどの布を用いることができるが、もちろん、その他の布であってもよく、例えば、スエード、ベロア、ベッチンなどの厚手の布であってもよい。
【００２４】
車両用サンシェード１０は、長手方向に１２０ｃｍで、短手方向に１００ｃｍの矩形形状を有するものとして説明するが、もちろん、大きさは適宜変更可能である。車両用サンシェード１０の厚みは、例えば、０．５ｃｍ〜１ｃｍ程度に設定することができるが、もちろん、変更してもよい。
【００２５】
据置部１２は、折曲部２２がダッシュボード部３４の前方側に位置するように配置され、ダッシュボード部３４を覆う。ここで、「前方側」とは、車両の進行方向における前方方向を意味する。据置部１２は、長手方向に１２０ｃｍで、短手方向に５０ｃｍの矩形形状を有するものとして説明するが、もちろん、大きさは適宜変更可能である。
【００２６】
遮光部１４は、据置部１２と折曲部２２を介して連結されて据置部１２に重なるように配置される。遮光部１４は、中央装着部１６と、端部装着部１８とを備えている。遮光部１４は、据置部１２と略同一の面積を有しており、ここでは、長手方向に１２０ｃｍで、短手方向に５０ｃｍの矩形形状を有するものとして説明するが、もちろん、大きさは適宜変更可能である。
【００２７】
中央装着部１６は、折曲部２２と反対側の端辺の中央部に設けられ車両内のルームミラー部１５に装着可能な紐部材である。具体的には、図２に示されるように、２本に分かれた紐で構成されており、ルームミラー部１５の支持部材に巻き回して括りつけることが出来る。
【００２８】
端部装着部１８は、端辺の両端部に設けられ車両内のサンバイザー部１９に取り付けられたフック部１７に掛け止め可能であるリング部材である。なお、ここでは、端部装着部１８は、フック部１７に掛け止め可能なリング部材であるものとして説明したが、もちろん、この他の形状であってもよく、例えば、回転軸部に巻回するような紐部材で構成してもよい。
【００２９】
遮光部１４は、太陽光を遮光する際に端辺が持ち上げられて中央装着部１６がルームミラー部１５に装着され、端部装着部１８がサンバイザー部１９のフック部１７に装着されて車両内のフロントガラス部１３を覆うように傾斜する。
【００３０】
また、遮光部１４の内部には、図１に示されるように、中央部から折曲部２２に向けて延伸する第２棒部材２０が設けられている。第２棒部材２０は、適度な強度を有する材質、例えば、竹の茎を細かく割ってつくられた細い棒である竹ひごを用いるものとして説明するが、もちろん、その他の材質でもよい。
【００３１】
折曲部２２は、据置部１２と遮光部１４の境界に位置し、端辺と略平行に延伸する貫通孔が形成されている。この貫通孔には、第１棒部材２１が挿入される。第１棒部材２１は、第２棒部材２０と同様に、適度な強度を有する材質、例えば、竹ひごを用いるものとして説明するが、もちろん、その他の材質でもよい。
【００３２】
続いて、上記構成の車両用サンシェード１０の作用について説明する。従来、夏場の日差しの強い時間帯に、屋外でエアコンを切った状態で停車して、長時間放置すると車内の温度が上昇することがあるが、このような状況において、車両用サンシェード１０は効果を発揮する。
【００３３】
最初に、折曲部２２で２つに折り曲げられた車両用サンシェード１０を、折曲部２２を車両の前方側に向けたままダッシュボード部３４に載置する。車両用サンシェード１０は、２つに折られているが、１つの厚みは、０．５ｃｍ〜１ｃｍに設定されているため、運転する際の視界に邪魔になるような厚みではないし、また、帆布やデニムで落ち着いた色に設定すれば、ダッシュボード部３４に据え置いたままでも違和感がない。
【００３４】
そして、炎天下でエアコンを停止した状態で車両を停車する際に、太陽光を遮光するために遮光部１４のうち折曲部２２と反対側の端辺が持ち上げて、中央装着部１６をルームミラー部１５に巻回する。
【００３５】
また、端部装着部１８のリング部をサンバイザー部１９のフック部１７に引掛けることで、遮光部１４の全体で車両内のフロントガラス部１３を覆うように傾斜する。これにより、太陽光の入光を遮断することができるため、車内温度の上昇を抑制することが出来る。
【００３６】
従来、蛇腹折するタイプのサンシェードが開発されていたが、このようなサンシェードは使用しないときに折り畳んで、トランクなどに収納する必要があり、状況に応じて出し入れするなど面倒な作業を行う必要があった。
【００３７】
しかしながら、車両用サンシェード１０によれば、太陽光を遮断する必要がない場合には、運転する際の視界に全く影響することなく、フロントガラス部１３に据え置いた状態のままにすることができ、また、必要に応じて、図２に示されるように広げて太陽光を遮断することができるため、簡便に太陽光を遮断することができるという顕著な効果を奏する。
【００３８】
また、車両用サンシェード１０は、フロントガラス部１３の幅方向にわたって設けられており、例えば、運転席側から車両用サンシェード１０の遮光部１４の端辺を掴んで引き上げようとしたときに、折曲部２２が存在しない場合には、中央部や助手席側の端部で曲ってしまうことがあるため、運転席側から助手席側に移動して整える作業などを行う必要があるといった課題がある。
【００３９】
しかしながら、折曲部２２の存在により、ある程度の硬さがあるため、上記のような曲がりことを抑制することができ、また、第１棒部材２１が挿入されていることにより、このような曲がりを防止することができ、遮光する際に作業しやすいという利点がある。
【００４０】
また、その後、収納する際にも、例えば、運転席側の折曲部２２を掴んで前方に移動させることで助手席側の折曲部２２も従動して前方に移動するため、収納作業もやり易いという効果がある。
【００４１】
さらに、第２棒部２２の存在により、遮光部１４を広げた状態から収納する際に、第２棒部２０を持って前方側に押し込むことで、簡単に折りたたむことができるという利点がある。
【００４２】
なお、ここでは、車両用サンシェード１０は、１枚の布部材で構成されて、２つ折りされるものとして説明したが、２つ折り以外であってもよく、例えば、３つ折りで折り畳んで据置することも可能である。
【符号の説明】
【００４３】
１  自動車、１０  車両用サンシェード、１２  据置部、１３  フロントガラス部、１４  遮光部、１５  ルームミラー部、１６  中央装着部、１７  フック部、１８  端部装着部、１９  サンバイザー部、２０  第２棒部材、２１  第１棒部材、２２  折曲部、３０  ハンドル部、３２  計器類、３４  ダッシュボード部。
【要約】
【課題】車両用サンシェードをダッシュボード部に据置したままにすることができ、かつ、必要に応じて簡単に太陽光を遮ることが出来る。
【解決手段】車両用サンシェード１０は、一枚の布部材で構成され、折曲部２２において折り曲げられた状態で車両内のダッシュボード部３４に据置可能な車両用サンシェード１０であって、折曲部２２がダッシュボード部３４の前方側に位置するように配置され、ダッシュボード部３４を覆うことが可能な据置部１２と、据置部１２と折曲部２２を介して連結されて据置部１２に重なるように配置され、折曲部２２と反対側の端辺の中央部に設けられ車両内のルームミラー部１５に装着可能な中央装着部１６と、該端辺の両端部に設けられ車両内のサンバイザー部１９に装着可能な端部装着部１８とを有する遮光部１４と、を備える。
【選択図】図１【図１】
0006758740.tif 000002
【図２】
0006758740.tif 000003